(57)【特許請求の範囲】
【請求項１】
第１のチャネル及び第２のチャネルを含む複数のチャネルの信号系列を時間多重する時間多重処理部と、
時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在し、前記第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記時間多重処理部を制御する制御部と、
をそなえたことを特徴とする、送信局。
【請求項２】
前記の第１のチャネルの第１の信号系列はＡＣＫ信号又はＮＡＣＫ信号であり、前記の第１のチャネルの第２の信号系列はＣＱＩ信号であり、前記の第２のチャネルの信号系列はデータ信号であり、前記の第１のチャネルは制御チャネルであり、前記の第２のチャネルはデータチャネルである、ことを特徴とする、請求項１記載の送信局。
【請求項３】
前記制御部は、時間領域において、前記時間多重信号の送信電力が変化するタイミングと該タイミングよりも後の前記の第１のチャネルの第１の信号系列の送信タイミングとの間に、前記の第２のチャネルの信号系列の少なくとも一部が介在するように前記時間多重処理部を制御する、ことを特徴とする、請求項１記載の送信局。
【請求項４】
時間領域において、時間多重信号の送信電力が変化するタイミングと第１のチャネルの信号系列の送信タイミングとの間に、前記の第１のチャネルの信号系列よりも符号長の長い第２のチャネルの信号系列の少なくとも一部が介在するように、前記第１のチャネル及び前記第２のチャネルを含む複数のチャネルの信号系列が時間多重された信号を受信する受信部と、
受信した前記信号から前記の第１のチャネルの信号系列と前記の第２のチャネルの信号系列とを分離する分離部と、
前記の第１のチャネルの信号系列を復調する復調部と、
復調された前記の第１のチャネルの信号系列を誤り訂正復号する復号部と、
をそなえたことを特徴とする、受信局。
【請求項５】
時間領域において、時間多重信号の送信電力が変化するタイミングと第１のチャネルの第１の信号系列の送信タイミングとの間に、前記の第１のチャネルの第１の信号系列よりも符号長の長い第２のチャネルの信号系列の少なくとも一部が介在し、前記の第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記第１のチャネル及び前記第２のチャネルを含む複数のチャネルの信号系列が時間多重された信号を受信する受信部と、
受信した前記信号から前記の第１のチャネルの第１の信号系列及び第２の信号系列と前記の第２のチャネルの信号系列とを分離する分離部と、
前記の第１のチャネルの第１の信号系列及び第２の信号系列を復調する復調部と、
復調された前記の第１のチャネルの第１の信号系列及び第２の信号系列を誤り訂正復号する復号部と、
をそなえたことを特徴とする、受信局。
【発明の詳細な説明】
【技術分野】
【０００１】
本発明は、送信局及び受信局に関する。本発明は、例えば、送信局の一例としての移動局から受信局の一例としての無線基地局へ信号を時間多重して送信するシステムに用いると好適である。
【背景技術】
【０００２】
無線通信の伝送方式の一つに、遅延波による符号間干渉を低減するために、時間領域において、有効シンボルの一部を巡回的にコピーして、当該有効シンボルにＣＰ（Cyclic Prefix）（ガードインターバル（ＧＩ）とも呼ばれる）として付加する伝送方式がある。
そのような伝送方式の代表的なものとして、ＯＦＤＭ（Orthogonal Frequency Division Multiplexing）、DFT-S OFDM（Discrete Fourier Transform-Spread OFDM）などがある。
【０００３】
そのうち、DFT-S OFDMは、シングルキャリア伝送であるため、ＰＡＰＲ（Peak to Average Power Ratio）特性に優れ、電力増幅器（ＰＡ：Power Amplifier）を効率の良い動作点で動作させることが可能である。
そのため、DFT-S OFDMは、移動局（ＵＥ：User Equipment）から基地局〔ＢＳ（Base Station）又はeNodeB〕への方向であるアップリンク（ＵＬ）の伝送方式に好適であり、3GPP（3rd Generation Partnership Project） E-UTRA（Evolved Universal Terrestrial Radio Access）では、ＵＬの通信に、DFT-S OFDMを用いたアクセス方式であるSC-FDMA（Single Carrier Frequency Division Multiple Access）の適用が検討されている（例えば、下記の非特許文献１参照）。
【０００４】
また、下記の非特許文献２のFigure.2には、伝搬路トレーニング（チャネル推定）に用いられるリファレンス信号（ＲＳ）が多重されるブロックに隣接して、ダウンリンク（ＤＬ）で送信された共有チャネルに対するＡＣＫ／ＮＡＣＫ信号、および、受信局において測定されたＤＬの伝搬路品質を示すＣＱＩ（Channel Quality Indicator）信号を多重する送信フォーマットが記載されている。
【０００５】
即ち、この送信フォーマットでは、７ブロックで１スロットが構成され、ＲＳはスロット内の４番目のブロックに多重され、ＡＣＫ／ＮＡＣＫ信号およびＣＱＩ信号は、ＲＳに隣接する３番目のブロックの末尾および５番目のブロックの先頭に多重される。
なお、3GPP LTE（Long Term Evolution）では、信号の品質を示すＥＶＭ（Error Vector Magnitude）や、ＳＥＭ（Spectrum Emission Mask）に関する規定、隣接チャネル帯域への漏洩電力に対する信号電力比（ＡＣＬＲ：Adjacent Channel Leakage Ratio）に関する規定が定められている（下記の非特許文献３参照）。
【先行技術文献】
【非特許文献】
【０００６】
【非特許文献１】3GPP TS36.211 V8.0.0
【非特許文献２】3GPP TSG-RAN WG1, R1-073572, "Control Signaling Location in Presence of Data in E-UTRA UL", Samsung
【非特許文献３】3GPP TS36.101 V0.1.0
【発明の概要】
【発明が解決しようとする課題】
【０００７】
前記ＣＰを有効シンボルに付加して送信を行なう伝送方式では、ＣＰ付加後の各シンボル（ＯＦＤＭシンボルやＳＣ−ＦＤＭＡシンボル）の境界において信号が不連続になるため、周波数スペクトルが無限に広がった形になり、信号帯域外へ電力が漏洩する（これを隣接帯域輻射ともいう）。
これを抑圧する目的で、当該伝送方式では、Raised Cosine関数等の窓関数（時間窓）を信号（シンボル）に乗算したり、帯域制限フィルタ等でフィルタ処理することで、シンボル境界近傍で信号が緩やかに減衰するよう波形整形を行なう場合がある。
【０００８】
しかし、このような波形整形を行なうと、受信側でＣＰを除去して有効シンボルを検出する際に、シンボル内に、前記波形整形による信号減衰部分が含まれ、また、隣接シンボルの前記波形整形による信号減衰部分がシンボル間干渉として混入する場合がある。そのため、シンボル境界近傍に多重された信号は、それ以外の部分に多重された信号と比較して、相対的にＥＶＭ等の信号品質（受信特性）が劣化しやすいといえる。
【０００９】
また、無線通信システムでは、送信電力制御等により送信局の送信電力が変化する場合がある。その際、例えば図２２の点線に示すような、理想的な電力変化に対して、図２２の実線に示すような、緩やかな電力変化であると、電力変化のタイミング近傍に多重された信号の品質（例えば、ＥＶＭ）も他のタイミングに多重された信号と比較して相対的に劣化しやすい。
【００１０】
しかしながら、前述した従来技術は、このようなシンボル境界や電力変化点近傍での信号品質が他の部分と比較して劣化しやすいという特性を考慮して送信シンボルの多重を行なってはいない。例えば、非特許文献２では、ＡＣＫ／ＮＡＣＫ信号やＣＱＩ信号を、伝搬路トレーニングに用いられるＲＳに対して、時間的に直近の（隣接する）位置に多重することで、ＡＣＫ／ＮＡＣＫ信号やＣＱＩ信号の受信特性を改善しようとするに留まる。
【００１１】
本発明の目的の一つは、シンボル境界や電力変化点近傍での信号品質が他の部分と比較して劣化しやすいという特性を考慮して、ＡＣＫ／ＮＡＣＫ信号やＣＱＩ信号などの、第１のチャネルの信号系列の一例としての制御信号の多重方法を規定し、制御信号の受信特性を改善することにある。
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１２】
（１）第１の案として、例えば、第１のチャネル及び第２のチャネルを含む複数のチャネルの信号系列を時間多重する時間多重処理部と、時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在し、前記第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記時間多重処理部を制御する制御部と、をそなえた、送信局を用いることができる。
【００１３】
（２）また、第２の案として、例えば、時間領域において、時間多重信号の送信電力が変化するタイミングと第１のチャネルの信号系列の送信タイミングとの間に、前記の第１のチャネルの信号系列よりも符号長の長い第２のチャネルの信号系列の少なくとも一部が介在するように、前記第１のチャネル及び前記第２のチャネルを含む複数のチャネルの信号系列が時間多重された信号を受信する受信部と、受信した前記信号から前記の第１のチャネルの信号系列と前記の第２のチャネルの信号系列とを分離する分離部と、前記の第１のチャネルの信号系列を復調する復調部と、復調された前記の第１のチャネルの信号系列を誤り訂正復号する復号部と、をそなえた、受信局を用いることができる。
【００１４】
（３）さらに、第３の案として、例えば、時間領域において、時間多重信号の送信電力が変化するタイミングと第１のチャネルの第１の信号系列の送信タイミングとの間に、前記の第１のチャネルの第１の信号系列よりも符号長の長い第２のチャネルの信号系列の少なくとも一部が介在し、前記の第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記第１のチャネル及び前記第２のチャネルを含む複数のチャネルの信号系列が時間多重された信号を受信する受信部と、受信した前記信号から前記の第１のチャネルの第１の信号系列及び第２の信号系列と前記の第２のチャネルの信号系列とを分離する分離部と、前記の第１のチャネルの第１の信号系列及び第２の信号系列を復調する復調部と、復調された前記の第１のチャネルの第１の信号系列及び第２の信号系列を誤り訂正復号する復号部と、をそなえた、受信局を用いることができる。
【発明の効果】
【００１５】
第１のチャネルの信号系列（例えば、制御チャネルの信号系列）の受信局での受信品質を改善することが可能となる。
【図面の簡単な説明】
【００１６】
【図１】システム帯域における無線リソースの割当例を示す図である。
【図２】第１実施例に係る送信局（ＵＥ）の構成例を示すブロック図である。
【図３】図２に示す送信局のチャネル多重部でのチャネル多重処理の一例を説明する模式図である。
【図４】図２に示す送信局でのチャネル多重処理の一例を説明する模式図である。
【図５】図２に示す送信局でのＣＰ挿入処理の一例を説明する模式図である。
【図６】図２に示す送信局での窓関数処理の一例を説明する模式図である。
【図７】第１実施例に係る受信局（ＢＳ）の構成例を示すブロック図である。
【図８】図７に示す受信局での有効シンボル検出処理の一例を説明する模式図である。
【図９】ＥＶＭのシミュレーション結果の一例を示す図である。
【図１０】第２実施例に係る送信局（ＵＥ）の構成例を示すブロック図である。
【図１１】図１０に示す送信局でのチャネル多重処理（アルゴリズム）の一例を説明するフローチャートである。
【図１２】図１１に示すアルゴリズムによるチャネル多重処理を説明する模式図である。
【図１３】図１０に示す送信局でのチャネル多重処理の他の例を説明する模式図である。
【図１４】第３実施例に係る送信局（ＵＥ）の構成例を示すブロック図である。
【図１５】図１４に示す送信局でのチャネル多重処理の一例を説明する模式図である。
【図１６】図１４に示す送信局でのチャネル多重処理に用いるオフセットシンボル数決定（選択）データの一例を示す図である。
【図１７】第４実施例に係る送信局（ＵＥ）の構成例を示すブロック図である。
【図１８】図１７に示す送信局の変形例を示すブロック図である。
【図１９】図１７又は図１８に示す送信局でのチャネル多重処理の一例を説明する模式図である。
【図２０】図１７又は図１８に示す送信局でのチャネル多重処理の他の例を説明する模式図である。
【図２１】図１７又は図１８に示す送信局でのチャネル多重処理の他の例を説明する模式図である。
【図２２】送信局における送信電力制御に伴う電力変化の一例を示す模式図である。
【発明を実施するための形態】
【００１７】
以下、図面を参照して本発明の実施の形態を説明する。ただし、以下に示す実施形態は、あくまでも例示に過ぎず、以下に示す実施形態で明示しない種々の変形や技術の適用を排除する意図はない。即ち、各実施例を組み合わせる等の変形を行なうこともできる。
〔１〕概要説明
先に述べたように、ＣＰ（ＧＩ）を用いた無線通信方式では、時間領域において、ＣＰを付加された信号単位であるシンボルの境界や送信電力の変化点（タイミング）近傍での信号品質が他の部分と比較して相対的に劣化しやすいという特性がある。
【００１８】
そこで、以下に示す例では、送信局において、このようなシンボル境界や送信電力の変化点から１シンボル時間以上離れた（オフセットした）シンボル時間にＡＣＫ／ＮＡＣＫ信号やＣＱＩ信号などの制御信号を時間多重して、受信局へ送信することとする。
その際、シンボル境界や送信電力の変化点と制御信号との間に介在するシンボル時間には、一般に制御信号よりも符号長が長く誤り耐性（誤り訂正能力）の高いデータ信号の一部又は全部を時間多重することとすれば、前記特性が受信局での（誤り訂正）復号特性に与える影響を抑制することも可能となる。
【００１９】
換言すれば、送信局での送信処理に起因して信号電力が変化する時間区間に対しては、制御信号よりもデータ信号の少なくとも一部が優先的に時間多重されるようにするのが好ましい。
なお、制御信号は、制御チャネルの信号系列であって第１のチャネルの信号（シンボル）系列の一例であり、データ信号は、データチャネルの信号（シンボル）系列であって第２のチャネルの信号系列の一例である。
【００２０】
また、以下では、ＣＰを用いた無線伝送方式として、ＳＣ−ＦＤＭＡ方式を例とする。また、既述のように有効シンボルにＣＰを付加した信号単位（ＳＣ−ＦＤＭＡシンボル）と、このＳＣ−ＦＤＭＡシンボルを構成する信号単位とを区別する意味で、便宜上、ＳＣ−ＦＤＭＡシンボルをブロックと称し、これを構成する要素信号をシンボルと称する。
前記ＳＣ−ＦＤＭＡ方式では、例えば図１に示すように、同一の時間（ＴＴＩ：Transmission Time Interval）におけるシステム帯域の周波数リソース（システム周波数リソース）を、複数の送信局（例えば、ＵＥ）で分け合って、受信局（例えば、ＢＳ又はeNodeB）と通信を行なうことが可能である。なお、システム帯域とは、例えば受信局の一例としてのＢＳ又はeNodeBが、送信局に対して割り当てることが可能な無線リソース（周波数リソース）の量を意味する。
【００２１】
例えば図１において、ＴＴＩ＃１の時間では、３台のＵＥ＃１，＃２，＃３がシステム周波数リソースを分け合ってＢＳと通信を行なうことができ、ＴＴＩ＃２の時間では、２台のＵＥ＃１とＵＥ＃４とがシステム周波数リソースを分け合ってＢＳと通信を行なうことができる。また、ＴＴＩ＃３の時間では、１台のＵＥ＃３がシステム周波数リソースのすべてを占有してＢＳと通信することができ、ＴＴＩ＃４の時間では、２台のＵＥ＃３とＵＥ＃２とが、システム周波数リソースを分け合ってＢＳと通信を行なうことができる。
【００２２】
〔２〕第１実施例
図２は、第１実施例に係る送信局の構成を示すブロック図であり、図７は、この図２に示す送信局１と無線リンクを介して通信する受信局３の構成を示すブロック図である。なお、送信局１は移動局（ＵＥ）で、受信局３は基地局（ＢＳ）である場合もあるし、逆に、送信局１はＢＳで、受信局３はＵＥである場合もある。ただし、以下では、送信局１をＵＥ、受信局３をＢＳと仮定して説明する。
【００２３】
（送信局１）
図２に示すように、本例の送信局（ＵＥ）１は、例えば、データ生成部１１、誤り訂正符号化部１２、データ変調部１３、制御信号生成部１４、制御信号変調部１５、チャネル多重部１６、ＤＦＴ（Discrete Fourier Transformer）１７、リファレンス信号生成部１８、リファレンス信号多重部１９、サブキャリアマッピング部２０、ＩＦＦＴ（Inverse Fast Fourier Transformer）２１、ＣＰ挿入部２２、窓関数処理部２３、無線処理部２４、送信アンテナ２５、受信アンテナ２６、受信処理部２７、窓関数処理制御部２８、チャネル多重制御部２９をそなえる。
【００２４】
データ生成部１１は、受信局３へ送信するデータ信号を生成する。データ信号には、音声、文字、画像、動画等の、制御情報以外の各種データが含まれる。
誤り訂正符号化部１２は、このデータ生成部１１で生成されたデータ信号を誤り訂正符号化する。誤り訂正符号の例としては、ターボ符号が挙げられる。
データ変調部１３は、この誤り訂正符号化部１２で得られたビット系列を、所定の変調方式で変調するもので、ＱＰＳＫや１６ＱＡＭ等の多値変調方式を適用する場合には、同相成分（Ｉ成分）と直交成分（Ｑ成分）とを有するデータ信号シンボル（以下、データシンボルと表記する場合もある）に変調する。
【００２５】
制御信号生成部１４は、ＡＣＫ／ＮＡＣＫ信号、ＣＱＩ信号を含む制御信号を生成する。ＡＣＫ信号は、受信局３から受信した信号を正常に受信処理できた（例えば、ＣＲＣエラー無し）場合に生成され、ＮＡＣＫ信号は、その逆に正常に受信処理できなかった場合に生成される。また、ＣＱＩ信号は、受信局３から受信した信号の受信品質を基に周期的に決定、生成される。
【００２６】
制御信号変調部１５は、この制御信号生成部１４で生成された制御信号を、所定の変調方式（データ信号についての変調方式と同じでもよいし異なっていてもよい）で変調するもので、ＱＰＳＫや１６ＱＡＭ等の多値変調方式を適用する場合には、同相成分（Ｉ成分）と直交成分（Ｑ成分）とを有する制御信号シンボルに変調する。なお、制御信号は、データ信号と同様、ターボ符号化等により誤り訂正符号化されていてもよい。
【００２７】
チャネル多重部１６は、データ変調部１３により得られたデータ信号シンボルと、制御信号変調部１５により得られた制御信号シンボルとを時間多重して、ＮDFT個のシンボル系列C(k)を生成する（０≦ｋ≦ＮDFT−１）。
ただし、本例のチャネル多重部１６は、例えば図３に示すように、時間領域において、ブロック境界から所定シンボル数時間だけ離れた（オフセットした）位置（タイミング）に制御信号シンボルが配置されるように多重（以下、オフセット多重ともいう）を行なう。このオフセット多重は、例えば、チャネル多重制御部２９によって制御（設定）される。
【００２８】
図３の（１）〜（３）は、それぞれ制御信号シンボルがブロック境界から１〜３シンボル時間だけオフセットした位置（タイミング）で時間多重される様子を示している。換言すれば、チャネル多重部１６は、制御信号とブロック境界との間に、制御信号以外の信号が１シンボル以上介在するように時間多重を行なう。
その際、ブロック境界近傍では信号劣化が生じやすいから、制御信号とブロック境界との間に介在させる信号（オフセットシンボル）は、制御信号よりも重要度の低い信号や、制御信号よりも誤り耐性が高い信号、例えば、制御信号よりも長い符号長を有し誤り訂正能力が相対的に高いため復号後の受信特性に影響の小さい信号（本例では、データ信号）の一部又は全部とするのが好ましい。
【００２９】
したがって、同じ制御信号の中でも、重要度の高低、符号長の長短がある場合には、重要度の低い信号や、符号長の長い信号ほど、ブロック境界に近い位置（タイミング）で時間多重されるようにするとよい。
例えば、ＡＣＫ／ＮＡＣＫ信号とＣＱＩ信号とを比べた場合、一般にＣＱＩ信号の方がＡＣＫ／ＮＡＣＫ信号よりも重要度が低く、また、符号長も長い（前者は１，２ビット程度、後者は２０ビット程度）から、ＣＱＩ信号の方がブロック境界により近いタイミングで時間多重されるようにするとよい。
【００３０】
もっとも、図３や後記の図４に示すように、ＡＣＫ／ＮＡＣＫ信号をブロック境界により近いタイミングで時間多重することを排除するものではない。
なお、オフセットシンボル数は、前記信号減衰区間の長さ（Nwin）、１シンボルあたりの時間幅、システムに要求されるＡＣＬＲ、ＳＥＭ、ＥＶＭなどの各種パラメータを勘案して決定するのが望ましい。その一例については後述する。
【００３１】
また、前記オフセット多重は、ブロック単位で実施する必要はなく、一部のブロックに限定してもよい。例えば、前記非特許文献２のように周期的にリファレンス信号（ＲＳ）を送信する場合、オフセット多重の対象ブロックは、ＲＳが多重されるブロックに隣接するブロックに限定することも可能である。
その一例を図４に示す。図４の（２）は、ＲＳブロックよりも時間的に前に隣接するブロックでは、ブロック境界との間に１シンボル時間のデータシンボルが介在するように制御信号シンボルを多重し、図４の（３）は、ＲＳブロックよりも時間的に後に隣接するブロックでは、ブロック境界との間に１シンボル時間のデータシンボルが介在するように制御信号シンボルを多重し、図４の（１）は、ＲＳブロックに隣接しないブロックでは、制御信号シンボルを多重しない様子をそれぞれ示している。
【００３２】
なお、オフセットシンボル数は、２シンボル以上でもよく、前記オフセット多重に伴って制御信号がＲＳから時間的に遠ざかることによる制御信号の補償（等化）に用いるチャネル推定精度の劣化度合いも前記パラメータの一つとして勘案して決定するとよい。
つまり、チャネル多重制御部２９は、ブロック境界と制御信号との間に介在するデータ信号の量を、前記ブロック境界が前記受信局にて伝搬路推定に用いられるリファレンス信号が多重されるブロックとの境界であるか否かに応じて、決定する、ことが可能である。
【００３３】
また、オフセットシンボル数は、オフセット多重の対象ブロック毎に同じでもよいし１又は複数の対象ブロック毎に異なっていてもよい。さらに、オフセットシンボル数は、受信局３に認識させるために、送信局１から受信局３へ制御信号の一つ等として通知してもよいし、予めシステム仕様として送信局１（チャネル多重制御部２９）及び受信局３（ＣＰ除去部３３）に設定しておいてもよい。後者の場合は、送信局１から受信局３への通知を不要にすることが可能である。
【００３４】
さて、次に、ＤＦＴ１７は、チャネル多重部１６により得られた多重信号を、下記の式（１）に示すように、ＮDFT個のシンボル系列C(k)単位でＮDFTポイントのＤＦＴ（Discrete Fourier Transform）処理することにより、ＮDFT個の周波数領域信号C(n)に変換する。
【００３５】
【数１】
0005445624.tif 000002
リファレンス信号（ＲＳ）生成部１８は、受信局３が送信局１との間の伝搬路トレーニング（チャネル推定）、伝搬路補償に用いる前記ＲＳを生成する。
リファレンス信号多重部１９は、ＤＦＴ１７の出力とＲＳ生成部１８が生成したＲＳとを選択的に出力することにより、データシンボルと制御信号シンボルとが時間多重されたブロックと、ＲＳとのブロック間多重を行なう。
【００３６】
サブキャリアマッピング部２０は、前記ブロック間多重された信号を、割り当てられたサブキャリア成分にマッピングする。マッピング方法には、シングルキャリア特性を維持するため、ＮDFT個の連続するサブキャリアにマッピングする局所的マッピングや、周期的に０信号を送信信号の間に挿入する分散マッピングがある。割り当てられていないサブキャリア成分には、０信号がマッピングされる。これにより、ＮDFT個の周波数領域信号C(n)は、ＮFFT個の周波数領域信号C′(n)になる。
【００３７】
ＩＦＦＴ２１は、前記ＮFFT個の周波数領域信号C′(n)を、下記の式（２）に示すように、ＮFFTポイントのＩＦＦＴ（Inverse Fast Fourier Transform）処理することにより、ＮFFTサンプルの時間領域信号s(k)に変換する。
【００３８】
【数２】
0005445624.tif 000003
ＣＰ挿入部２２は、下記の式（３）に示すように、前記時間領域信号（有効シンボル）s(k)の末尾ＮCPサンプルを当該時間領域信号s(k)の先頭に付加して、ＮFFT＋ＮCPサンプルの信号ブロックsblock(t)を生成する（図５参照）。ただし、０≦ｔ≦ＮCP＋ＮFFT−１である。
【００３９】
【数３】
0005445624.tif 000004
窓関数処理部２３は、下記の式（４）〜（６）及び図６の（１）及び（２）に示すように、ブロック内で信号が連続するようにブロックの先頭と末尾にそれぞれNwin/2サンプルの信号をコピーする。ここで、Nwinは、システム帯域、割当送信帯域幅、割当送信帯域に応じて、窓関数処理制御部２８により決定される。窓関数が乗算される区間（信号減衰処理が施される区間）であるNwinを長くするほど、ＥＶＭ劣化も大きくなる傾向にある。
【００４０】
【数４】
0005445624.tif 000005
なお、前記の割当送信帯域幅とは、受信局３から送信局１に対して当該送信局１が送信に用いることのできる周波数リソースとして割り当てられたリソース量を意味し、例えば、リソースブロック（ＲＢ）と呼ばれる単位で割り当てが可能である。ここで、１ＲＢは、１サブキャリア帯域幅を有し、受信局３が送信を許可する送信局１に割り当てる周波数リソース（送信帯域）を選択（スケジューリング）する際の基本単位となり得る単位である。
【００４１】
また、前記の割当送信帯域とは、受信局３から送信局１に対して割り当てられた周波数リソースの、システム帯域における占有位置を示し、例えば、前記ＲＢ単位のオフセット値等として前記割当送信帯域幅の配置（開始）位置が示される。
次に、窓関数処理部２３は、下記の式（７）及び図６の（２），（３）に示すように、ブロックの両端（Nwinの時間区間）で信号が緩やかに減衰するように、窓関数w(t)を乗算する。
【００４２】
【数５】
0005445624.tif 000006
窓関数w(t)の一例として、raised cosine波形を用いる場合は、下記の式（８）で表さ
れる。
【００４３】
【数６】
0005445624.tif 000007
次に、窓関数処理部２３は、下記の式（９），（１０）及び図６の（４）に示すごとく、平均電力が一定になるように信号減衰区間を隣接ブロック間で加算する。
【００４４】
【数７】
0005445624.tif 000008
なお、上記窓関数処理は、信号帯域外への漏洩電力を抑圧する手段の一つであり、他には、帯域制限フィルタを用いて同等の信号減衰処理を行なう手段等も適用可能である。
無線処理部２４は、窓関数処理部２３の出力を、ＤＡ変換、無線周波数へ周波数変換（アップコンバージョン）等して送信アンテナ２５から受信局３へ送信する。
【００４５】
受信処理部２７は、受信アンテナ２６で受信された、受信局３からの信号を受信処理する。受信処理には、低雑音増幅、ベースバンド周波数への周波数変換（ダウンコンバージョン）、ＡＤ変換、復調、復号等が含まれる。また、受信信号には、共通制御チャネルや個別制御チャネルの信号が含まれ、共通制御チャネルの信号には、システム帯域に関する情報が含まれ、個別制御チャネルの信号には、割当送信帯域、割当送信帯域幅に関する情報が含まれる。
【００４６】
窓関数処理制御部２８は、受信処理部２７で得られた、システム帯域、割当送信帯域幅、割当送信帯域等の情報に応じて、窓関数処理部２３での前記窓関数処理（Nwinの設定）を制御する。
（受信局３）
一方、図７に示すように、受信局３は、例えば、受信アンテナ３１、無線処理部３２、ＣＰ除去部３３、ＦＦＴ（Fast Fourier Transformer）３４、サブキャリアデマッピング部３５、リファレンス信号分離部３６、チャネル推定部３７、周波数領域等化処理部３８、ＩＤＦＴ（Inverse Discrete Fourier Transformer）３９、データ／制御信号分離部４０、制御信号復調部４１、データ復調部４２、誤り訂正復号部４３、制御チャネル処理部５１、送信処理部５２、送信アンテナ５３をそなえる。
【００４７】
無線処理部３２は、受信アンテナ３１で受信した信号を、低雑音増幅、無線周波数からベースバンド周波数へ周波数変換（ダウンコンバージョン）、ＡＤ変換等する。
ＣＰ除去部３３は、無線処理部３２で処理された受信信号からＣＰを除去して、ブロックの有効シンボル部分を抽出する（切り出す）。その様子を図８に例示する。即ち、ＣＰ除去部３２は、受信電力の最も大きい先頭パス（ここではパス＃１）のＦＦＴタイミングで有効シンボル部分を切り出す。パス＃２については、ＣＰの一部を含んだ形で信号が切り出されるが、ＣＰは、有効シンボルが巡回的にコピーされたものなので、結果的に、有効シンボル（ＮFFTサンプル）のみを正確に切り出すことが可能である。
【００４８】
ただし、遅延時間がＣＰ長を超える遅延波のパス＃３については、隣（ｌ−１番目）のブロックの信号がブロック間干渉として有効シンボルに混入することになる。また、パス＃１についても、有効シンボルには、送信局１での窓関数処理により信号の減衰した部分が含まれる場合がある。また、隣（ｌ＋１番目）のブロックの有効シンボルには、パス＃２の（ｌ＋１）番目のブロックの窓関数処理された部分がブロック間干渉として混入しうる。
【００４９】
これらの事象は、DFT-S OFDMでは、ブロックの先頭及び／又は末尾に配置されたシンボルのＥＶＭ劣化を生じさせうる。図９に、ＮDFT＝１２００、ＮFFT＝２０４８、Nwin＝１２の場合における、シンボル毎のＥＶＭのシミュレーション結果の一例を示す。この図９に示すように、ブロック境界（先頭、末尾）付近のシンボルの劣化が顕著であることが分かる。
【００５０】
したがって、データ信号に比べて符号長の短いＡＣＫ／ＮＡＣＫ信号やＣＱＩ信号などの制御信号が、ブロック境界に隣接するシンボルに時間多重されていると、他のシンボルよりも、ＥＶＭ劣化の影響を受けやすく、受信特性が劣化しやすい。
しかしながら、本例では、送信局１において、制御信号は、データシンボルの少なくとも一部を介してブロック境界から１シンボル以上離れるように時間多重されるから、ＥＶＭ劣化の影響を受けにくく、受信特性の劣化を抑制することが可能である。その場合、ブロック境界に隣接して多重された制御信号以外の信号は、ＥＶＭ劣化の影響を受けやすいが、制御信号よりも符号長が長い信号の少なくとも一部であれば、誤り訂正復号により正しく復号できる可能性が制御信号の場合よりも高い。
【００５１】
また、ＣＰ除去部３３において前記切り出し位置を意図的に時間方向にずらす（早める）ことをしなくてもよいから、実質的なＣＰ長が短くなり、ＣＰ長時間を超えるマルチパスによるブロック間干渉を増加させてしまうことも回避することが可能である。
さて、次に、ＦＦＴ３４は、上述のごとくＣＰ除去部３３でＣＰが除去された受信信号（有効シンボル）を、ＮFFTポイントのＦＦＴ処理により、周波数領域信号に変換し、サブキャリアデマッピング部３５に入力する。
【００５２】
サブキャリアデマッピング部３５は、前記ＦＦＴ処理により得られた周波数領域信号から、割当送信帯域のサブキャリア成分を取り出して、リファレンス信号分離部３６に入力する。
リファレンス信号分離部３６は、サブキャリアデマッピング部３５から入力された前記サブキャリア成分の受信信号から、ＲＳとその他のチャネルの信号とを分離し、ＲＳはチャネル推定部に、その他のチャネルの信号は周波数領域等化処理部３８にそれぞれ入力する。
【００５３】
チャネル推定部３７は、前記ＲＳを用いて、送信局１との間の受信チャネル状態の推定を行なう。
周波数領域等化処理部３８は、チャネル推定部３７による推定結果（チャネル推定値）を用いて、前記分離されたＲＳ以外のチャネルの受信信号を周波数領域において等化（補償）し、ＩＤＦＴ３９に出力する。
【００５４】
ＩＤＦＴ３９は、前記等化された受信信号を、ＮDFTポイントの逆離散フーリエ変換（ＩＤＦＴ）処理により、ＮDFT個の時間領域信号（受信シンボル系列）に変換し、データ／制御信号分離部４０に入力する。
データ／制御信号分離部４０は、前記ＮDFT個の時間領域の受信シンボル系列から、時間多重された受信データシンボルと、受信制御信号シンボルとを分離し、受信データシンボルはデータ復調部４２へ、受信制御信号シンボルは制御信号復調部４１へそれぞれ入力する。
【００５５】
制御信号復調部４１は、入力された前記受信制御信号シンボルを送信局１での変調方式に対応した復調方式で復調し、データ復調部４２は、入力された前記受信データシンボルを送信局１での変調方式に対応した復調方式で復調する。
誤り訂正復号部４３は、復調された前記受信データシンボルを送信局１での誤り訂正符号化方式に対応した復号方式で誤り訂正復号する。
【００５６】
なお、制御信号シンボルが送信局１において誤り訂正符号化されている場合には、当該制御信号シンボルについても、その誤り訂正符号化方式に対応した復号方式で誤り訂正復号する。
制御チャネル処理部５１は、システム帯域に関する情報を含む共通制御チャネルの信号や、送信割当帯域幅、送信割当帯域等に関する情報を含む個別制御チャネルの信号を生成して送信処理部５２に送信する。
【００５７】
送信処理部５２は、前記各制御チャネルの信号を、ＤＡ変換、無線周波数への周波数変換（アップコンバージョン）、所定の送信電力に増幅する等して、送信アンテナ５３から送信局１に向けて送信する。
以上のように、本例によれば、送信局１において、データ信号と制御信号とを時間多重する際に、時間領域において、制御信号とブロック境界との間に、制御信号以外の信号の一例としてのデータ信号の少なくとも一部が介在するように、制御信号をブロック境界から時間的にオフセットして多重するので、送信局１での送信処理の過程で窓関数や帯域制限フィルタ等を用いて波形整形処理（信号減衰処理）が施されるブロック境界（信号減衰区間）から制御信号を時間的に遠ざけることができる。
【００５８】
したがって、ブロック境界付近の信号品質の劣化したシンボルを避けて制御信号を時間多重することが可能となり、制御信号についてのＥＶＭ等の信号品質が前記信号減衰処理に起因して劣化することを抑制することが可能となり、制御信号の受信局３での受信品質を改善することが可能となる。
そして、好ましい態様として、前記の制御信号とブロック境界との間に介在するデータ信号（シンボル）は、制御信号よりも符号長の長いデータ信号の要素信号であるから、ブロック境界近傍の信号品質が劣化しやすいとしても、受信局３での復号特性に対する影響は小さい。
【００５９】
〔３〕第２実施例
図１０は、第２実施例に係る送信局（ＵＥ）の構成を示すブロック図である。この図１０に示す送信局１は、図２に示した既述の送信局１に比して、チャネル多重制御部２９ａを代替的に具備する点が異なる。なお、図１０において、既述の符号と同一符号を付した構成要素は、以下で特に断らない限り、既述のものと同一若しくは同様の機能を具備する。また、受信局３については、既述の構成と同一若しくは同様でよい。
【００６０】
ここで、本例のチャネル多重制御部２９ａは、各変調部１３及び１５でそれぞれ変調されたデータ信号および制御信号（ＣＱＩ信号、ＡＣＫ／ＮＡＣＫ信号など）のそれぞれの符号長を基に、チャネル多重部１６による時間多重処理を制御する。より詳細には、例えば、符号長の長い信号ほど他の信号よりもブロック境界に近いタイミングで多重されるように前記時間多重処理を制御する。
【００６１】
これは、符号長の長い信号は、既述のように、ブロック境界に隣接する、信号減衰処理により信号品質の劣化しやすいシンボルを含んでいても、残りのシンボルを基に誤り訂正復号が可能である確率が、符号長のより短い信号に比べて高いといえ、受信局３での復号後の受信特性への影響が小さいためである。
図１１に、チャネル多重制御部２９ａによる、チャネル多重アルゴリズムの一例を示す。
【００６２】
まず、チャネル多重制御部２９ａは、Ｎchannel個のチャネル（データチャネル及び制御チャネル）の信号を符号長の長い順に並び替える（処理１０１０）。
そして、チャネル多重制御部２９ａは、ｉ番目のチャネルの信号（シンボル系列）をsi(k)、その符号長をLiとして、ｉ＝０から（すなわち、符号長の長いチャネルのシンボル系列から）、ＮDFTシンボル長のブロックの０番目（先頭）のシンボル、ＮDFT−１番目（末尾）のシンボル、１番目（先頭シンボルの次）のシンボル、ＮDFT−２番目（末尾よりも１シンボル分ブロック中心に近い位置）のシンボルというように、ブロックの両端から中心に向けてシンボルが交互に多重されるよう、チャネル多重部１６を制御する（処理１０２０〜処理１０８０）。
【００６３】
なお、処理１０５０は、ブロック中心に対してブロック先頭及び末尾のいずれの側のシンボルに多重するかを判断する処理であり、ここでは、ｔを２で除した余りが０であれば（Ｙｅｓなら）ブロック先頭側、余りが０以外であれば（Ｎｏなら）ブロック末尾側に多重すると判断する処理である。
また、処理１０６０は、ブロック先頭側のシンボルに多重する場合（処理１０５０でＹｅｓの場合）のシンボル位置を決定する処理、処理１０７０は、ブロック末尾側のシンボルに多重する場合（処理１０５０でＮｏの場合）のシンボル位置を決定する処理を表している。ただし、“floor(x)”は、入力引数（実数）ｘに対してｘ以下の最大の整数を返す関数を表す。
【００６４】
チャネル多重制御部２９ａは、以上の判断、シンボル位置の決定を、Ｎchannel個のチャネルのすべてのシンボルを多重するまで〔処理１０３０及び処理１０４０での繰り返し（ループ）条件（ｉ＜Ｎchannelおよびｋ＜Li）がいずれも満たされなくなるまで〕、繰り返す。
上記アルゴリズムによるチャネル多重の様子の一例を図１２に示す。
【００６５】
図１２では、一例として、ＮDFT＝１８（シンボル）、データ信号の符号長Ldata＝１０（シンボル）、ＣＱＩ信号の符号長LCQI＝６（シンボル）、ＡＣＫ／ＮＡＣＫ信号の符号長LACK/NACK＝２（シンボル）であると仮定して、ブロックの先頭及び末尾から中心に向けて、符号長の長いチャネルの信号から優先して交互に多重する例を示している。
この例では、符号長の最も長いデータ信号は、d(0)〜d(9)で示される順序及びシンボル位置（タイミング）に時間多重され、次に符号長の長いＣＱＩ信号は、c(0)〜c(5)で示される順序及びシンボル位置に時間多重され、符号長の最も短いＡＣＫ／ＮＡＣＫ信号は、a(0)，a(1)で示される順序及びシンボル位置に時間多重される。
【００６６】
つまり、チャネル多重制御部２９ａは、制御信号及びデータ信号が、個々の符号長が長いものから順に、ブロック境界から離れる方向に位置するようチャネル多重部１６の時間多重処理を制御する、ことが可能である。
このチャネル多重方法によると、符号長の短いチャネルの信号ほど、窓関数処理部２３による波形整形（信号減衰）処理の影響およびマルチパスによる影響を受けにくいブロック中心側に時間多重されやすくなる。したがって、データ信号よりも符号長の短い制御信号（ＣＱＩ信号及びＡＣＫ／ＮＡＣＫ信号）は、データ信号よりもブロック中心により近いシンボル位置に時間多重されやすくなるから、受信局３での制御信号の受信特性の劣化を抑制することが可能である。
【００６７】
また、相対的に、ブロック境界に近いシンボル位置ほど、符号長の長い信号が時間多重されやすくなるから、当該信号の受信局３での復号後の受信特性への影響も小さい。
なお、本例のチャネル多重方法についても、ブロック単位で実施する必要はなく、一部のブロックに限定してもよい。例えば、前記非特許文献２のように周期的にリファレンス信号（ＲＳ）を送信する場合、オフセット多重の対象ブロックは、ＲＳが多重されるブロックに隣接するブロックに限定することも可能である。
【００６８】
また、ＲＳブロックに隣接するブロックを、本例のチャネル多重方法の適用対象ブロックとする場合は、ＲＳブロックとの境界側に所定シンボル数だけデータ信号を配置した後、制御信号を優先的に配置することも可能である。
その一例を図１３に示す。この図１３では、（２）及び（３）に示すように、ＲＳブロックとの境界に対して１シンボルだけデータ信号シンボルを配置した後、制御信号（ＣＱＩ信号、ＡＣＫ／ＮＡＣＫ信号）を優先的に配置する様子を例示している。ただし、ＮDFT＝１８（シンボル）、データ信号の符号長Ldata＝１４（シンボル）、ＣＱＩ信号の符号長LCQI＝３（シンボル）、ＡＣＫ／ＮＡＣＫ信号の符号長LACK/NACK＝１（シンボル）と仮定している。
【００６９】
例えば、図１３の（２）に示す例では、チャネル多重制御部２９ａは、ＲＳブロックに対して時間的に前に隣接するブロックにおいて、ブロック先頭の１シンボル時間にデータ信号シンボルd(0)が配置され、次に、ブロック末尾の１シンボル時間にデータ信号シンボルd(1)が配置された後、ＣＱＩ信号シンボルc(0)，c(1)，c(2)、ＡＣＫ／ＮＡＣＫ信号シンボルa(0)が順にブロック中心に向けて配置され、残りの１２シンボル時間に対して、データ信号シンボルの残り１２シンボルd(2)〜d(13)が順にブロック先頭及び末尾側から交互に配置されるように、チャネル多重部１６での時間多重処理を制御する。
【００７０】
一方、図１３の（３）に示す例では、チャネル多重制御部２９ａは、ＲＳブロックに対して時間的に後に隣接するブロックにおいて、ブロック先頭の１シンボル時間にデータ信号シンボルd(0)が配置された後、ＣＱＩ信号シンボルc(0)，c(1)，c(2)、ＡＣＫ／ＮＡＣＫ信号シンボルa(0)が順にブロック中心に向けて配置され、残りの１２シンボル時間に対して、データ信号シンボルの残り１２シンボルd(2)〜d(13)が順にブロック先頭及び末尾側から交互に配置されるように、チャネル多重部１６での時間多重処理を制御する。
【００７１】
なお、ＲＳブロックに隣接しないブロックについては、図１３の（１）に示すように、チャネル多重制御部２９ａは、１８データ信号シンボルd(0)〜d(17)が順にブロック先頭及び末尾側から交互に配置されるように、チャネル多重部１６での時間多重処理を制御する。
つまり、チャネル多重制御部２９ａは、ブロック境界が受信局３にて伝搬路推定に用いられるリファレンス信号が多重されるＲＳブロックとの境界である場合は、データシンボルの個々の信号が前記ブロック境界から離れる方向に順番に位置するよう時間多重される過程の途中で、制御信号シンボルが優先的に時間多重されるよう、チャネル多重部１６の時間多重処理を制御することが可能である。
【００７２】
図１２に例示したチャネル多重方法では、ブロック境界に近いシンボル時間ほど符号長の長いチャネルの信号を一律に優先して多重するから、一般にデータ信号よりも符号長の短い制御信号（ＡＣＫ／ＮＡＣＫ信号、ＣＱＩ信号）がブロック中心に配置されやすくなりＲＳから時間的に離れてしまいやすくなり、結果的に、受信局３で制御信号の補償に用いるチャネル推定値の精度が劣化するおそれがある。
【００７３】
これに対して、図１３に例示するチャネル多重方法によれば、制御信号がＲＳから時間的に離れすぎることを回避することが可能となるから、受信局３では、制御信号に時間的により近いＲＳを基に得られる、より精度の良いチャネル推定値を用いて制御信号のチャネル補償を行なうことが可能となる。
なお、図１３には、ＲＳブロックとの境界と、制御信号との間に、１シンボルだけデータ信号シンボルを配置しているが、２シンボル以上のデータ信号を優先して配置することも可能である。そのオフセットシンボル数についても、ＲＳから時間的に遠ざかることによるチャネル推定精度の劣化度合いをパラメータの一つとして、システムのＡＣＬＲ、ＳＥＭ、ＥＶＭなどのパラメータとの関係を勘案して決定することが望ましい。
【００７４】
〔４〕第３実施例
図１４は、第３実施例に係る送信局の構成を示すブロック図である。この図１４に示す送信局１は、図２に示した既述の送信局１に比して、チャネル多重制御部２９ｂを代替的に具備する点が異なる。なお、図１４において、既述の符号と同一符号を付した構成要素は、以下で特に断らない限り、既述のものと同一若しくは同様の機能を具備する。また、受信局３については、既述の構成と同一若しくは同様でよい。
【００７５】
ここで、本例のチャネル多重制御部２９ｂは、受信処理部２７で受信された（受信局３から通知あるいは割り当てられた）、システム帯域、割当送信帯域、割当送信帯域幅のいずれかに関する情報、あるいは、それら２以上の情報の組み合わせに基づいて、制御信号の時間多重位置（タイミング）をブロック境界からオフセットさせるシンボル数を決定し、そのオフセットシンボル数に従ってチャネル多重部１６での時間多重処理を制御する。
【００７６】
例えば、割当送信帯域幅が狭帯域で、かつ、割当送信帯域（開始位置）がシステム帯域の端の場合、ＡＣＬＲ、ＳＥＭの観点からは厳しい条件であり、窓関数処理部２３では、割当送信帯域がシステム帯域の中心付近に割り当てられる場合よりも、時間窓Nwinの長いより緩やかな窓関数処理（信号減衰処理）を施す可能性がある。
その一例を図１５の（１）に示す。ここでは、システム帯域幅が４リソースブロック（ＲＢ）であり、割当送信帯域幅が１ＲＢ、割当送信帯域の開始位置がシステム帯域の低周波数側の端である例を示している。
【００７７】
このような場合には、図１５の（２）に示すように割当送信帯域がシステム帯域の中心付近に割り当てられる場合よりも、前記オフセットシンボル数を大きくするのが好ましい。例えば図１５の（１）の例では、オフセットシンボル数＝２としている。
また、割当送信帯域幅が広帯域である場合、例えば図１５の（３）に例示するように、システム帯域の全帯域（４ＲＢ）にわたって送信帯域が割り当てられた場合、１シンボルあたりの時間間隔が短くなる。そのため、送信局１（窓関数処理部２３）における時間窓処理によるブロック間干渉およびマルチパスによるブロック間干渉の量が同じ場合には、割当送信帯域幅が小さい場合に比べて、ブロック境界近傍のより多くのシンボルが影響を受ける。
【００７８】
このような場合も、図１５の（２）に示すように割当送信帯域がシステム帯域の中心付近に割り当てられる場合よりも、前記オフセットシンボル数を大きくするのが好ましい。例えば図１５の（３）の例では、オフセットシンボル数＝６としている。
図１６に、ＮFFT＝８の場合の、割当送信帯域（開始位置）および割当送信帯域幅に応じたオフセットシンボル数の選択（決定）基準の一例を示す。この図１６において、送信帯域（開始位置）＝０〜７は、例えばシステム帯域の低周波数側の端からのＲＢ単位のオフセット位置を表し、送信帯域幅＝１〜８は、例えばＲＢ数を表す。
【００７９】
チャネル多重制御部２９ｂは、このようなオフセットシンボル数を決定（選択）する基準となるデータをテーブル形式等で図示しないメモリ等に保持し、当該データを基に、受信処理部２７で得られた、割当送信帯域（開始位置）および割当送信帯域幅（ＲＢ数）に対応するオフセットシンボル数を決定（選択）する。
例えば、図１６に示す例では、システム帯域の端（割当送信帯域の開始位置が０又は７）に１ＲＢの送信帯域幅が割り当てられたとすると、オフセットシンボル数は３となる。つまり、同じ１ＲＢの送信帯域幅がシステム帯域の端以外に割り当てられた場合よりも大きなオフセットシンボル数を選択する。
【００８０】
このように、チャネル多重制御部２９ｂは、ブロック境界と制御信号との間に介在するデータ信号の量を、システムで利用可能な周波数帯域（システム周波数帯域）、受信局３から割り当てられた割当周波数帯域幅、受信局３から割り当てられた割当周波数帯域のいずれか１又は２以上の組み合わせに応じて、決定する、ことが可能である。
なお、図１６に示すデータ（テーブル）は、受信局３との間で共有するために、送信局１から受信局３へ制御信号の一つ等として通知してもよいし、予めシステム仕様として送信局１及び受信局３（例えばＣＰ除去部３３）に設定しておいてもよい。後者の場合は、送信局１から受信局３への通知を不要にすることが可能である。
【００８１】
また、システム帯域が複数設定されるような場合には、図１６に示すデータ（テーブル）を例えばチャネル多重制御部２９ｂにシステム帯域毎にもたせることで、システム帯域毎に、上述した割当送信帯域（開始位置）および割当送信帯域幅（ＲＢ数）に応じたオフセットシンボル数の選択を実施することが可能である。
〔５〕第４実施例
既述のように、送信局１での送信処理の過程では、前記信号減衰処理に伴うブロック境界近傍での信号品質劣化に限らず、送信電力の変化点（タイミング）近傍においても、信号品質が他の部分と比較して相対的に劣化しやすい。
【００８２】
そこで、本例では、送信電力の変化点を既述の実施例におけるブロック境界と同等に扱うこととして、送信電力の変化点から制御信号を所定シンボル時間だけオフセットして時間多重することについて説明する。
図１７に、本例の送信局１の構成例を示す。この図１７に示す送信局１は、図２に示した既述の送信局１に比して、チャネル多重制御部２９ｃを代替的に、送信電力制御部３０ａを追加的に、それぞれ具備するとともに、データ変調部１３からチャネル多重部１６、制御信号変調部１５からチャネル多重部１６、リファレンス信号生成部１８からリファレンス信号多重部１９への信号ラインのそれぞれに、利得因子乗算部３０−１，３０−２，３０−３が設けられている点が異なる。なお、図１７において、既述の符号と同一符号を付した構成要素は、以下で特に断らない限り、既述のものと同一若しくは同様の機能を具備する。また、受信局３については、既述の構成と同一若しくは同様でよい。
【００８３】
ここで、送信電力制御部３０ａは、受信局３から受信処理部２７で受信された送信電力制御情報に基づいて、送信電力を決定し、その送信電力に応じた利得因子を、利得因子乗算部３０−１，３０−２，３０−３にて、それぞれデータ信号、制御信号、リファレンス信号に乗算することにより、各信号の信号電力をディジタル信号処理として制御する。なお、前記利得因子は、各乗算部３０−１，３０−２，３０−３に共通の値としてもよいし個別の値としてもよい。
【００８４】
チャネル多重制御部２９ｃは、送信電力制御部３０ａによる電力制御タイミングに関する情報の通知を受けて、その電力制御タイミング情報を基に、電力変化の生じるタイミングから制御信号が１シンボル時間以上オフセットしたシンボル時間に時間多重されるよう、チャネル多重部１６による時間多重処理を制御する。
なお、送信局１での送信電力の制御は、無線処理部２４においてアナログ信号処理により実施される場合もある。例えば、ディジタル信号処理では実現できない程度の電力制御（可変）幅が要求されるような場合には、アナログ信号処理で制御する方が好ましい。そのような場合には、例えば図１８に示すように、無線処理部２４での送信電力（例えば、図示しない電力増幅器の利得）を制御する送信電力制御部３０ｂを代替的に設ければよい。
【００８５】
図１９に、本例のチャネル多重処理の一例を示す。
即ち、本例のチャネル多重部１６は、チャネル多重制御部２９ｃの制御の下、時間領域において、送信電力制御部３０ａ（又は３０ｂ）による送信電力制御タイミング（電力変化点）から所定シンボル数時間だけ離れた（オフセットした）位置（タイミング）に制御信号シンボルが配置されるように多重を行なう。
【００８６】
図１９の（１）〜（３）は、それぞれ制御信号シンボルが電力変化点から１〜３シンボル時間だけオフセットした位置（タイミング）で時間多重される様子を示している。ただし、オフセットシンボル数は１〜３シンボルに限定されない。
また、オフセットシンボル数は、本例においても、１シンボルあたりの時間幅、システムに要求されるＡＣＬＲ、ＳＥＭ、ＥＶＭなどの各種パラメータを勘案して決定するのが望ましい。
【００８７】
なお、チャネル多重制御部２９ｃは、第２実施例（図１２）にて説明したように、データ信号および制御信号のそれぞれの符号長を基に、チャネル多重部１６による時間多重処理を制御してもよい。
即ち、チャネル多重部１６は、例えば、符号長の長い信号ほど他の信号よりも電力変化点に近いタイミングで多重するように制御（設定）されてもよい。そうすれば、第２実施例と同様の効果ないし利点も得られる。
【００８８】
その一例を図２０に示す。この図２０では、データ信号、ＣＱＩ信号、ＡＣＫ／ＮＡＣＫ信号の順に符号長が長いと仮定して、符号長の長い信号ほど電力変化点に近いシンボル時間に時間多重される様子を示している。
つまり、チャネル多重制御部２９ｃは、時間領域において、制御信号及びデータ信号が、個々の信号の誤り耐性が高いものから順に、前記電力変化点のタイミングから離れる方向に位置するようチャネル多重部１６での時間多重処理を制御する、ことが可能である。
【００８９】
なお、本例の電力変化点に関するオフセット多重は、既述のブロック境界についてのオフセット多重と併せて実施してもよい。
その場合、チャネル多重制御部２９ｃは、時間領域において、電力変化点とブロック境界との双方に関して、制御信号との間にデータ信号の少なくとも一部（１シンボル以上）が介在するように、チャネル多重部１６での時間多重を制御する。
【００９０】
そのチャネル多重の一例を図２１に示す。この図２１では、ＣＱＩ信号よりも符号長の短いＡＣＫ／ＮＡＣＫ信号が、電力変化点とブロック境界との双方から離れるように、データシンボル及びＣＱＩ信号シンボルを介して時間多重される様子を示している。ただし、この図２１に示す配置には限定されない。
例えば、ブロック境界がＲＳブロックとの境界である場合は、受信局３において、ＲＳブロックに基づく高精度なチャネル推定結果を適用できるように、制御信号シンボルが１以上のデータシンボルを介してよりＲＳブロックに近いシンボル時間に多重されるように制御することも可能である。
【００９１】
〔６〕付記
（付記１）
送信局において複数のチャネルの信号系列を所定のブロック単位に時間多重して受信局へ送信する無線通信システムにおける信号多重方法であって、
前記送信局は、
時間領域において、時間多重信号のブロック境界と第１のチャネルの信号系列との間に、前記第１のチャネルの信号系列よりも誤り耐性の高い第２のチャネルの信号系列の少なくとも一部が介在するように、前記時間多重を行なう、
ことを特徴とする、無線通信システムにおける信号多重方法。
【００９２】
（付記２）
前記誤り耐性の高い第２のチャネルの信号系列は、前記第１のチャネルの信号系列よりも符号長の長い信号系列である、ことを特徴とする、付記１記載の無線通信システムにおける信号多重方法。
（付記３）
前記第１の信号系列は、制御チャネルの信号系列であり、前記第２の信号系列は、データチャネルの信号系列である、ことを特徴とする、付記１又は２に記載の無線通信システムにおける信号多重方法。
【００９３】
（付記４）
前記ブロック境界と前記第１のチャネルの信号系列との間に介在する前記第２のチャネルの信号系列の量は、前記無線通信システムで利用可能な周波数帯域であるシステム帯域、前記受信局から割り当てられた割当周波数帯域幅、前記受信局から割り当てられた割当周波数帯域のいずれか１又は２以上の組み合わせに応じて、決定される、ことを特徴とする、付記１〜３のいずれか１項に記載の無線通信システムにおける信号多重方法。
【００９４】
（付記５）
前記ブロック境界と前記第１のチャネルの信号系列との間に介在する前記第２のチャネルの信号系列の量は、前記ブロック境界が前記受信局にて伝搬路推定に用いられるリファレンス信号が多重されるブロックとの境界であるか否かに応じて、決定される、ことを特徴とする、付記１〜４のいずれか１項に記載の無線通信システムにおける信号多重方法。
【００９５】
（付記６）
前記各チャネルの信号系列は、個々の信号の誤り耐性が高いものから順に、前記ブロック境界から離れる方向に位置するよう前記時間多重される、ことを特徴とする、付記１記載の無線通信システムにおける信号多重方法。
（付記７）
前記ブロック境界が前記受信局にて伝搬路推定に用いられるリファレンス信号が多重されるブロックとの境界である場合は、前記第１のチャネルの信号系列の個々の信号が前記ブロック境界から離れる方向に順番に位置するよう時間多重される過程の途中で、前記第２のチャネルの信号系列が優先的に時間多重される、ことを特徴とする、付記１記載の無線通信システムにおける信号多重方法。
【００９６】
（付記８）
送信局において複数のチャネルの信号系列を時間多重して受信局へ送信する無線通信システムにおける信号多重方法であって、
前記送信局は、
時間領域において、時間多重信号の送信電力が変化するタイミングと第１のチャネルの信号系列との間に、前記第１のチャネルの信号系列よりも誤り耐性の高い第２のチャネルの信号系列の少なくとも一部が介在するように、前記時間多重を行なう、
ことを特徴とする、無線通信システムにおける信号多重方法。
【００９７】
（付記９）
前記各チャネルの信号系列は、個々の信号の誤り耐性が高いものから順に、前記タイミングから離れる方向に位置するよう前記時間多重される、ことを特徴とする、付記８記載の無線通信システムにおける信号多重方法。
（付記１０）
受信局宛の複数のチャネルの信号系列を所定のブロック単位に時間多重する時間多重処理部と、
時間領域において、時間多重信号のブロック境界と第１のチャネルの信号系列との間に、前記第１のチャネルの信号系列よりも誤り耐性の高い第２のチャネルの信号系列の少なくとも一部が介在するように、前記時間多重処理部を制御する制御部と、
をそなえたことを特徴とする、送信局。
【００９８】
（付記１１）
前記誤り耐性の高い第２のチャネルの信号系列は、前記第１のチャネルの信号系列よりも符号長の長い信号系列である、ことを特徴とする、付記１０記載の送信局。
（付記１２）
前記第１のチャネルの信号系列は、制御チャネルの信号系列であり、前記第２の信号系列は、データチャネルの信号系列である、ことを特徴とする、付記１０又は１１に記載の送信局。
【００９９】
（付記１３）
前記制御部は、
前記ブロック境界と前記第１のチャネルの信号系列との間に介在する前記第２のチャネルの信号系列の量を、前記無線通信システムで利用可能な周波数帯域であるシステム帯域、前記受信局から割り当てられた割当周波数帯域幅、前記受信局から割り当てられた割当周波数帯域のいずれか１又は２以上の組み合わせに応じて、決定する、ことを特徴とする、付記１０〜１２のいずれか１項に記載の送信局。
【０１００】
（付記１４）
前記制御部は、
前記ブロック境界と前記第１のチャネルの信号系列との間に介在する前記第２のチャネルの信号系列の量を、前記ブロック境界が前記受信局にて伝搬路推定に用いられるリファレンス信号が多重されるブロックとの境界であるか否かに応じて、決定する、ことを特徴とする、付記１０〜１３のいずれか１項に記載の送信局。
【０１０１】
（付記１５）
前記制御部は、
前記各チャネルの信号系列が、個々の信号の誤り耐性が高いものから順に、前記ブロック境界から離れる方向に位置するよう前記時間多重を制御する、ことを特徴とする、付記１０記載の送信局。
【０１０２】
（付記１６）
前記制御部は、
前記ブロック境界が前記受信局にて伝搬路推定に用いられるリファレンス信号が多重されるブロックとの境界である場合は、前記第１のチャネルの信号系列の個々の信号が前記ブロック境界から離れる方向に順番に位置するよう時間多重される過程の途中で、前記第２のチャネルの信号系列が優先的に時間多重されるように、前記時間多重を制御する、ことを特徴とする、付記１０記載の送信局。
【０１０３】
（付記１７）
受信局宛の複数のチャネルの信号系列を時間多重する時間多重処理部と、
時間領域において、時間多重信号の送信電力が変化するタイミングと第１のチャネルの信号系列との間に、前記第１のチャネルの信号系列よりも誤り耐性の高い第２のチャネルの信号系列の少なくとも一部が介在するように、前記時間多重処理部を制御する制御部と、
をそなえたことを特徴とする、送信局。
【０１０４】
（付記１８）
前記制御部は、
前記各チャネルの信号系列が、個々の信号の誤り耐性が高いものから順に、前記タイミングから離れる方向に位置するよう前記時間多重を制御する、ことを特徴とする、付記１７記載の送信局。
【符号の説明】
【０１０５】
１  送信局（ＵＥ：User Equipment）
１１  データ生成部
１２  誤り訂正符号化部
１３  データ変調部
１４  制御信号生成部
１５  制御信号変調部
１６  チャネル多重部
１７  ＤＦＴ（Discrete Fourier Transformer）
１８  リファレンス信号（ＲＳ）生成部
１９  リファレンス信号多重部
２０  サブキャリアマッピング部
２１  ＩＦＦＴ（Inverse Fast Fourier Transformer）
２２  ＣＰ挿入部
２３  窓関数処理部
２４  無線処理部
２５  送信アンテナ
２６  受信アンテナ
２７  受信処理部
２８  窓関数処理制御部
２９，２９ａ，２９ｂ，２９ｃ  チャネル多重制御部
３０ａ，３０ｂ  送信電力制御部
３  受信局（ＢＳ：Base Station）
３１  受信アンテナ
３２  無線処理部
３３  ＣＰ除去部
３４  ＦＦＴ（Fast Fourier Transformer）
３５  サブキャリアデマッピング部
３６  リファレンス信号分離部
３７  チャネル推定部
３８  周波数領域等化処理部
３９  ＩＤＦＴ（Inverse Discrete Fourier Transformer）
４０  データ／制御信号分離部
４１  制御信号復調部
４２  データ復調部
４３  誤り訂正復号部
【図１】
0005445624.tif 000009
【図２】
0005445624.tif 000010
【図３】
0005445624.tif 000011
【図４】
0005445624.tif 000012
【図５】
0005445624.tif 000013
【図６】
0005445624.tif 000014
【図７】
0005445624.tif 000015
【図８】
0005445624.tif 000016
【図９】
0005445624.tif 000017
【図１０】
0005445624.tif 000018
【図１１】
0005445624.tif 000019
【図１２】
0005445624.tif 000020
【図１３】
0005445624.tif 000021
【図１４】
0005445624.tif 000022
【図１５】
0005445624.tif 000023
【図１６】
0005445624.tif 000024
【図１７】
0005445624.tif 000025
【図１８】
0005445624.tif 000026
【図１９】
0005445624.tif 000027
【図２０】
0005445624.tif 000028
【図２１】
0005445624.tif 000029
【図２２】
0005445624.tif 000030